(57)【特許請求の範囲】
【請求項１】
右眼用画像と左眼用画像とを表示期間毎に交互に表示する電気光学装置であって、
第１走査線および第２走査線が交互に配列された複数の走査線と、
前記複数の走査線に交差する複数の信号線と、
前記複数の走査線と前記複数の信号線との各交差に対応して配置された複数の画素と、
前記複数の画素の各々を駆動する駆動回路とを具備し、
前記駆動回路は、
第１書込期間において、相互に隣合う２本ずつ前記複数の走査線を区分した第１組を順次に選択するとともに選択状態の前記第１組のうち前記第１走査線に対応する各画素の指定階調に応じた階調電位を前記各信号線に供給し、かつ、前記第１書込期間の経過後の第２書込期間において、前記各第２走査線を順次に選択するとともに選択状態の前記第２走査線に対応する各画素の指定階調に応じた階調電位を前記各信号線に供給する第１駆動と、
前記第１書込期間において、前記第１組とは異なる組合せで前記複数の走査線を相互に隣合う２本ずつ区分した第２組を順次に選択するとともに選択状態の前記第２組のうち前記第２走査線に対応する各画素の指定階調に応じた階調電位を前記各信号線に供給し、かつ、前記第２書込期間において、前記各第１走査線を順次に選択するとともに選択状態の前記第１走査線に対応する各画素の指定階調に応じた階調電位を前記各信号線に供給する第２駆動とを実行可能であり、
前記右眼用画像の表示期間内の第１単位期間にて前記第１駆動を実行するとともに当該表示期間のうち前記第１単位期間の経過後の第２単位期間にて前記第２駆動を実行し、前記左眼用画像の表示期間内の第１単位期間にて前記第２駆動を実行するとともに当該表示期間内の第２単位期間にて前記第１駆動を実行する
電気光学装置。
【請求項２】
前記駆動回路は、前記各表示期間のうち前記第１単位期間内の前記第１書込期間および前記第２書込期間では、基準電位に対する前記階調電位の極性を第１極性に設定し、前記各表示期間のうち前記第２単位期間内の前記第１書込期間および前記第２書込期間では、前記基準電位に対する前記階調電位の極性を、前記第１極性とは逆の第２極性に設定する
請求項１の電気光学装置。
【請求項３】
前記駆動回路は、
前記右眼用画像の表示期間と前記左眼用画像の表示期間とを各々が含む複数の制御期間のうちの第１制御期間において、前記右眼用画像の表示期間内の前記第１単位期間にて前記第１駆動を実行するとともに当該表示期間内の前記第２単位期間にて前記第２駆動を実行し、かつ、前記左眼用画像の表示期間内の前記第１単位期間にて前記第２駆動を実行するとともに当該表示期間内の前記第２単位期間にて前記第１駆動を実行し、
前記複数の制御期間のうち前記第１制御期間とは異なる第２制御期間において、前記右眼用画像の表示期間内の前記第１単位期間にて前記第２駆動を実行するとともに当該表示期間内の前記第２単位期間にて前記第１駆動を実行し、かつ、前記左眼用画像の表示期間内の前記第１単位期間にて前記第１駆動を実行するとともに当該表示期間内の前記第２単位期間にて前記第２駆動を実行する
請求項１または請求項２の電気光学装置。
【請求項４】
右眼用シャッターと左眼用シャッターとを含む立体視用眼鏡で立体視される右眼用画像および左眼用画像を表示する電気光学装置であって、
前記各表示期間のうち前記第１単位期間内の前記第１書込期間の少なくとも一部にて前記右眼用シャッターおよび前記左眼用シャッターの双方を閉状態に制御し、前記右眼用画像の表示期間のうち前記第１単位期間内の前記第２書込期間と前記第２単位期間内の前記第１書込期間および前記第２書込期間との少なくとも一部にて前記前記右眼用シャッターを開状態に制御するとともに前記左眼用シャッターを閉状態に制御し、前記左眼用画像の表示期間のうち前記第１単位期間内の前記第２書込期間と前記第２単位期間内の前記第１書込期間および前記第２書込期間との少なくとも一部にて前記左眼用シャッターを開状態に制御するとともに前記右眼用シャッターを閉状態に制御する眼鏡制御回路
を具備する請求項１から請求項３の何れかの電気光学装置。
【請求項５】
右眼用画像と左眼用画像とを表示期間毎に交互に表示する電気光学装置であって、
複数の走査線と、
前記複数の走査線に交差する複数の信号線と、
前記複数の走査線と前記複数の信号線との各交差に対応して配置された複数の画素と、
前記複数の画素の各々を駆動する駆動回路とを具備し、
前記駆動回路は、
第１書込期間において、相互に隣合うＱ本（Ｑは２以上の自然数）ずつ前記複数の走査線を区分した第１組を順次に選択するとともに選択状態の前記第１組内の第１番目の走査線に対応する各画素の指定階調に応じた階調電位を前記各信号線に供給し、かつ、前記第１書込期間の経過後の各第ｑ書込期間（ｑ＝２〜Ｑ）において、前記各第１組内の第ｑ番目の走査線に対応する各画素の指定階調に応じた階調電位を前記各信号線に供給する第１駆動と、
前記第１書込期間において、前記第１組とは異なる組合せで前記複数の走査線を相互に隣合うＱ本ずつ区分した第２組を順次に選択するとともに選択状態の前記第２組内の第１番目の走査線に対応する各画素の指定階調に応じた階調電位を前記各信号線に供給し、かつ、各第ｑ書込期間において、前記各第２組内の第ｑ番目の走査線に対応する各画素の指定階調に応じた階調電位を前記各信号線に供給する第２駆動とを実行可能であり、
前記右眼用画像の表示期間内の第１単位期間にて前記第１駆動を実行するとともに当該表示期間のうち前記第１単位期間の経過後の第２単位期間にて前記第２駆動を実行し、前記左眼用画像の表示期間内の第１単位期間にて前記第２駆動を実行するとともに当該表示期間内の第２単位期間にて前記第１駆動を実行する
電気光学装置。
【請求項６】
請求項１から請求項５の何れかの電気光学装置を具備する電子機器。
【発明の詳細な説明】
【技術分野】
【０００１】
本発明は、観察者が立体感を知覚するように相互に視差が付与された右眼用画像と左眼用画像とを表示する技術に関連する。
【背景技術】
【０００２】
右眼用画像と左眼用画像とを時分割で交互に表示するフレームシーケンシャル方式の立体視方法が従来から提案されている。右眼用画像および左眼用画像の一方が他方に変化する期間では右眼用画像と左眼用画像とが混在するから、観察者が画像を視認すると明確な立体感を認識することが困難となる（クロストーク）。以上の問題を解決するために、例えば特許文献１には、右眼用画像および左眼用画像の一方が他方に変化する期間（すなわち右眼用画像と左眼用画像とが混在する期間）において立体視用眼鏡の右眼用シャッターおよび左眼用シャッターの双方を閉状態として観察者に画像を視認させない技術が開示されている。
【０００３】
具体的には、図１２に示すように、右眼用画像に対応する右眼用表示期間と左眼用画像に対応する左眼用表示期間とが交互に設定される。右眼用表示期間の前半期間では表示画像が左眼用画像から右眼用画像に更新されるとともに後半期間では右眼用画像が表示され、左眼用表示期間の前半期間では表示画像が右眼用画像から左眼用画像に更新されるとともに後半期間では左眼用画像が表示される。右眼用表示期間および左眼用表示期間の各々の前半期間では、右眼用シャッターおよび左眼用シャッターの双方が閉状態に制御される。したがって、右眼用画像と左眼用画像との混在（クロストーク）は観察者に知覚されない。
【先行技術文献】
【特許文献】
【０００４】
【特許文献１】特開２００９−２５４３６号公報
【発明の概要】
【発明が解決しようとする課題】
【０００５】
しかし、特許文献１の技術のもとでは、観察者が実際に画像を視認できる期間が、右眼用表示期間および左眼用表示期間の各々における後半期間（すなわち約半分）に制限される。したがって、表示画像の明度を充分に確保することが困難であるという問題がある。以上の事情を考慮して、本発明は、右眼用画像と左眼用画像との混在が観察者に知覚されることを抑制しながら表示画像の明度を向上させることを目的とする。
【課題を解決するための手段】
【０００６】
以上の課題を解決するために、本発明の第１態様の電気光学装置は、右眼用画像と左眼用画像とを表示期間毎に交互に表示する電気光学装置であって、第１走査線および第２走査線が交互に配列された複数の走査線と、複数の走査線に交差する複数の信号線と、複数の走査線と複数の信号線との各交差に対応して配置された複数の画素と、複数の画素の各々を駆動する駆動回路とを具備し、駆動回路は、第１書込期間において、相互に隣合う２本ずつ複数の走査線を区分した第１組を順次に選択するとともに選択状態の第１組のうち第１走査線に対応する各画素の指定階調に応じた階調電位を各信号線に供給し、かつ、第１書込期間の経過後の第２書込期間において、各第２走査線を順次に選択するとともに選択状態の第２走査線に対応する各画素の指定階調に応じた階調電位を各信号線に供給する第１駆動と、第１書込期間において、第１組とは異なる組合せで複数の走査線を相互に隣合う２本ずつ区分した第２組を順次に選択するとともに選択状態の第２組のうち第２走査線に対応する各画素の指定階調に応じた階調電位を各信号線に供給し、かつ、第２書込期間において、各第１走査線を順次に選択するとともに選択状態の第１走査線に対応する各画素の指定階調に応じた階調電位を各信号線に供給する第２駆動とを実行可能であり、右眼用画像の表示期間内の第１単位期間にて第１駆動を実行するとともに当該表示期間のうち第１単位期間の経過後の第２単位期間にて第２駆動を実行し、左眼用画像の表示期間内の第１単位期間にて第２駆動を実行するとともに当該表示期間内の第２単位期間にて第１駆動を実行する。
【０００７】
以上の構成では、各表示期間の第１単位期間の第１書込期間にて走査線を２本ずつ順次に選択して各画素に階調電位を供給するから、各表示期間にて走査線を１本ずつ順次に選択して各画素に階調電位を供給する構成と比較して、右眼用画像と左眼用画像とが混在する期間の時間長が短縮される。したがって、右眼用画像と左眼用画像とが混在する期間内で立体視用眼鏡の右眼用シャッターおよび左眼用シャッターの双方を閉状態に制御することで右眼用画像と左眼用画像との混在が観察者に知覚されることを抑制する場合でも、表示画像の明度を向上させることが可能である。また、第１単位期間／第２単位期間と第１駆動／第２駆動との関係が右眼用画像の表示期間と左眼用画像の表示期間とで逆転するから、画素に対する印加電圧の極性の偏向が右眼用画像の表示期間と左眼用画像の表示期間とで相殺される。したがって、直流成分の印加に起因した画素の特性劣化を抑制することが可能である。
【０００８】
第１態様の好適例において、駆動回路は、右眼用画像の表示期間と左眼用画像の表示期間とを各々が含む複数の制御期間のうちの第１制御期間において、右眼用画像の表示期間内の第１単位期間にて第１駆動を実行するとともに当該表示期間内の第２単位期間にて第２駆動を実行し、かつ、の表示期間内の第１単位期間にて第２駆動を実行するとともに当該表示期間内の第２単位期間にて第１駆動を実行し、複数の制御期間のうち第１制御期間とは異なる第２制御期間において、右眼用画像の表示期間内の第１単位期間にて第２駆動を実行するとともに当該表示期間内の第２単位期間にて第１駆動を実行し、かつ、左眼用画像の表示期間内の第１単位期間にて第１駆動を実行するとともに当該表示期間内の第２単位期間にて第２駆動を実行する。以上の態様では、第１単位期間／第２単位期間と第１駆動／第２駆動との関係が第１制御期間と第２制御期間とで反転されるから、画素に対する印加電圧の極性の偏向（直流成分の残留）に起因した画素の特性劣化を抑制できるという前述の効果は格別に顕著となる。
【０００９】
本発明の第２態様に係る電気光学装置は、右眼用画像と左眼用画像とを表示期間毎に交互に表示する電気光学装置であって、第１走査線および第２走査線が交互に配列された複数の走査線と、複数の走査線に交差する複数の信号線と、複数の走査線と複数の信号線との各交差に対応して配置された複数の画素と、複数の画素の各々を駆動する駆動回路とを具備し、駆動回路は、第１書込期間において、相互に隣合う２本ずつ複数の走査線を区分した第１組を順次に選択するとともに選択状態の第１組のうち第１走査線に対応する各画素の指定階調に応じた階調電位を各信号線に供給し、かつ、第１書込期間の経過後の第２書込期間において、各第２走査線を順次に選択するとともに選択状態の第２走査線に対応する各画素の指定階調に応じた階調電位を各信号線に供給する第１駆動と、第１書込期間において、第１組とは異なる組合せで複数の走査線を相互に隣合う２本ずつ区分した第２組を順次に選択するとともに選択状態の第２組のうち第２走査線に対応する各画素の指定階調に応じた階調電位を各信号線に供給し、かつ、第２書込期間において、各第１走査線を順次に選択するとともに選択状態の第１走査線に対応する各画素の指定階調に応じた階調電位を各信号線に供給する第２駆動とを実行可能であり、右眼用画像の表示期間と左眼用画像の表示期間とを各々が含む複数の制御期間のうち第１制御期間内の各表示期間では、第１単位期間にて第１駆動を実行するとともに第２単位期間にて第２駆動を実行し、複数の制御期間のうち第１制御期間とは相違する第２制御期間では、第１単位期間にて第２駆動を実行するとともに第２単位期間にて第１駆動を実行する。以上の構成においても第１態様の電気光学装置と同様の作用および効果が実現される。
【００１０】
第１態様および第２態様の好適例において、駆動回路は、各表示期間のうち第１単位期間内の第１書込期間および第２書込期間では、基準電位に対する階調電位の極性を第１極性に設定し、各表示期間のうち第２単位期間内の第１書込期間および第２書込期間では、基準電位に対する階調電位の極性を、第１極性とは逆の第２極性に設定する。以上の構成では、階調電位の極性が単位期間毎に反転されるから、例えば階調電位の極性を表示期間毎に反転させる構成と比較して階調電位の極性の反転周期が短縮される。したがって、階調電位の極性差に起因した表示階調の変動（フリッカ）が観察者に知覚され難いという利点がある。
【００１１】
第１態様および第２態様の好適例は、右眼用シャッターと左眼用シャッターとを含む立体視用眼鏡で立体視される右眼用画像および左眼用画像を表示する電気光学装置であって、各表示期間のうち第１単位期間内の第１書込期間の少なくとも一部にて右眼用シャッターおよび左眼用シャッターの双方を閉状態に制御し、右眼用画像の表示期間のうち第１単位期間内の第２書込期間と第２単位期間内の第１書込期間および第２書込期間との少なくとも一部にて右眼用シャッターを開状態に制御するとともに左眼用シャッターを閉状態に制御し、左眼用画像の表示期間のうち第１単位期間内の第２書込期間と第２単位期間内の第１書込期間および第２書込期間との少なくとも一部にて左眼用シャッターを開状態に制御するとともに右眼用シャッターを閉状態に制御する眼鏡制御回路を具備する。
【００１２】
なお、第１組および第２組を構成する走査線の本数をＱ本として一般化した場合、駆動回路は、第１書込期間において、相互に隣合うＱ本（Ｑは２以上の自然数）ずつ複数の走査線を区分した第１組を順次に選択するとともに選択状態の第１組内の第１番目の走査線に対応する各画素の指定階調に応じた階調電位を各信号線に供給し、かつ、第１書込期間の経過後の各第ｑ書込期間（ｑ＝２〜Ｑ）において、各第１組内の第ｑ番目の走査線に対応する各画素の指定階調に応じた階調電位を各信号線に供給する第１駆動と、第１書込期間において、第１組とは異なる組合せで複数の走査線を相互に隣合うＱ本ずつ区分した第２組を順次に選択するとともに選択状態の第２組内の第１番目の走査線に対応する各画素の指定階調に応じた階調電位を各信号線に供給し、かつ、各第ｑ書込期間において、各第２組内の第ｑ番目の走査線に対応する各画素の指定階調に応じた階調電位を各信号線に供給する第２駆動とを実行する要素として表現される。
【００１３】
以上の各態様に係る電気光学装置は表示体として各種の電子機器に採用される。例えば、以上の各態様に係る電気光学装置と、眼鏡制御回路が制御する立体視用眼鏡とを具備する立体視表示装置が、本発明の電子機器として例示される。
【図面の簡単な説明】
【００１４】
【図１】本発明の第１実施形態に係る立体視表示装置のブロック図である。
【図２】画素回路の回路図である。
【図３】立体視表示装置の動作の説明図である。
【図４】第１駆動の説明図である。
【図５】第２駆動の説明図である。
【図６】第１実施形態の効果を説明するための表示例の模式図である。
【図７】各画素の液晶素子に対する印加電圧の時間変化の説明図である。
【図８】第２実施形態における立体視表示装置の動作の説明図である。
【図９】電子機器（投射型表示装置）の斜視図である。
【図１０】電子機器（パーソナルコンピュータ）の斜視図である。
【図１１】電子機器（携帯電話機）の斜視図である。
【図１２】従来の技術における立体視動動作の説明図である。
【発明を実施するための形態】
【００１５】
＜第１実施形態＞
図１は、本発明の第１実施形態に係る立体視表示装置１００のブロック図である。立体視表示装置１００は、観察者に立体感を知覚させる立体視画像をアクティブシャッター方式で表示する電子機器であり、電気光学装置１０と立体視用眼鏡２０とを具備する。電気光学装置１０は、相互に視差が付与された右眼用画像ＧRと左眼用画像ＧLとを時分割で交互に表示する。なお、以下の説明では、右眼用画像ＧRおよび左眼用画像ＧLを画像Ｇi（ｉ＝Ｒ,Ｌ）と包括的に表現する場合がある。
【００１６】
立体視用眼鏡２０は、電気光学装置１０が表示する立体視画像の視認時に観察者が装着する眼鏡型の器具であり、観察者の右眼の前方に位置する右眼用シャッター２２と左眼の前方に位置する左眼用シャッター２４とを具備する。右眼用シャッター２２および左眼用シャッター２４の各々は、照射光を透過させる開状態（透過状態）と照射光を遮断する閉状態（遮光状態）とに制御される。例えば印加電圧に応じて液晶の配向方向を変化させることで開状態および閉状態の一方から他方に変化する液晶シャッターが右眼用シャッター２２および左眼用シャッター２４として採用され得る。
【００１７】
図１の電気光学装置１０は、電気光学パネル１２と制御回路１４とを具備する。電気光学パネル１２は、複数の画素（画素回路）ＰIXが配列された画素部３０と、各画素ＰIXを駆動する駆動回路４０とを含む。画素部３０には、ｘ方向に延在するＭ本の走査線３２と、ｘ方向に交差するｙ方向に延在するＮ本の信号線３４とが形成される（ＭおよびＮは自然数）。画素部３０内の複数の画素ＰIXは、走査線３２と信号線３４との各交差に対応して縦Ｍ行×横Ｎ列の行列状に配列される。
【００１８】
図２は、各画素ＰIXの回路図である。図２に示すように、各画素ＰIXは、液晶素子ＣLと選択スイッチＳWとを含む。液晶素子ＣLは、相互に対向する画素電極６２および共通電極６４と両電極間の液晶６６とで構成された電気光学素子である。画素電極６２と共通電極６４との間の印加電圧に応じて液晶６６の透過率（表示階調）が変化する。選択スイッチＳWは、走査線３２にゲートが接続されたＮチャネル型の薄膜トランジスターで構成され、液晶素子ＣLと信号線３４との間に介在して両者の電気的な接続（導通／絶縁）を制御する。なお、液晶素子ＣLに並列に補助容量を接続した構成も採用され得る。
【００１９】
図１の制御回路１４は、電気光学パネル１２を制御する表示制御回路１４２と、立体視用眼鏡２０を制御する眼鏡制御回路１４４とを具備する。なお、表示制御回路１４２と眼鏡制御回路１４４とを単体の集積回路に搭載した構成や、表示制御回路１４２と眼鏡制御回路１４４とを別体の集積回路に分散した構成が採用され得る。表示制御回路１４２は、相互に視差が付与された右眼用画像ＧRと左眼用画像ＧLとが時分割で画素部３０に表示されるように駆動回路４０を制御する。
【００２０】
駆動回路４０は、外部回路から供給される画像信号が各画素ＰIXに指定する階調（以下「指定階調」という）に応じた階調電位Ｘ[n]（ｎ＝１〜Ｎ）を各画素ＰIXに供給する回路であり、走査線駆動回路４２と信号線駆動回路４４とを具備する。走査線駆動回路４２は、各走査線３２に対応する走査信号Ｙ[1]〜Ｙ[M]の供給で各走査線３２を順次に選択する。走査信号Ｙ[m]（ｍ＝１〜Ｍ）が所定の選択電位に設定される（すなわち第ｍ行の走査線３２が選択される）ことで、第ｍ行の各画素ＰIXにおける選択スイッチＳWが同時にオン状態に遷移する。
【００２１】
信号線駆動回路４４は、走査線駆動回路４２による走査線３２の選択に同期してＮ本の信号線３４の各々に階調電位Ｘ[1]〜Ｘ[N]を供給する。各画素ＰIX（液晶素子ＣL）は、走査線３２の選択時（選択スイッチＳWがオン状態に制御されたとき）における信号線３４の階調電位Ｘ[n]に応じた階調を表示する。
【００２２】
図３は、電気光学装置１０の動作の説明図である。図３に示すように、電気光学装置１０の動作期間は、複数の制御期間Ｔに区分される。各制御期間Ｔは、所定長の２個の表示期間Ｐi（右眼用表示期間ＰRおよび左眼用表示期間ＰL）に区分される。右眼用表示期間ＰRでは画素部３０に右眼用画像ＧRが表示され、左眼用表示期間ＰLでは画素部３０に左眼用画像ＧLが表示される。右眼用表示期間ＰRと左眼用表示期間ＰLとは時間軸上で交互に配列する。すなわち、相前後する右眼用表示期間ＰRと左眼用表示期間ＰLとで１個の制御期間Ｔが構成される。各表示期間Ｐi（ＰR，ＰL）は、相等しい時間長の２個の単位期間Ｕ（Ｕ1，Ｕ2）に区分される。単位期間Ｕ2は単位期間Ｕ1に後続する。各単位期間Ｕ（Ｕ1，Ｕ2）は、第１書込期間Ｗ1と第２書込期間Ｗ2とを含んで構成される。第２書込期間Ｗ2は第１書込期間Ｗ1に後続する。
【００２３】
信号線駆動回路４４は、右眼用表示期間ＰRでは、右眼用画像ＧRの画像信号に応じた階調電位Ｘ[1]〜Ｘ[N]を走査線駆動回路４２による走査線３２の選択に同期して順次に各信号線３４に供給し、左眼用表示期間ＰLでは、左眼用画像ＧLの画像信号に応じた階調電位Ｘ[1]〜Ｘ[N]を走査線駆動回路４２による走査線３２の選択に同期して順次に各信号線３４に供給する。信号線駆動回路４４は、各画素ＰIXの液晶素子ＣLに対する印加電圧の極性が周期的に反転するように所定の基準電位に対する各階調電位Ｘ[n]の極性を単位期間Ｕ毎に反転させる。具体的には、各階調電位Ｘ[n]の極性は、図３に示すように、各表示期間Ｐの単位期間Ｕ1にて正極性(+)に設定され、各表示期間Ｐの単位期間Ｕ2にて負極性(-)に設定される。なお、階調電位Ｘ[n]は液晶素子ＣLの画素電極６２に供給されるから、図３に図示された極性は、液晶素子ＣLに対する印加電圧の極性と同視され得る。
【００２４】
第１実施形態の駆動回路４０は、各表示期間Ｐiの単位期間Ｕ毎に図４の第１駆動と図５の第２駆動とを選択的に実行することが可能である。第１駆動は、図４に示すように、Ｍ本の走査線３２を相互に隣合う２本ずつ区分した複数の組（以下「第１組」という）の各々を駆動対象とする駆動方式である。第１組は、偶数行（第2k行）の１本の走査線３２と、その走査線３２に対してｙ方向の負側に隣合う奇数行（第(2k-1)行）の１本の走査線３２とで構成される。他方、第２駆動は、図５に示すように、第１組とは相違する組合せでＭ本の走査線３２を相互に隣合う２本ずつ区分した複数の組（以下「第２組」という）の各々を駆動対象とする駆動方式である。第２組は、偶数行（第2k行）の１本の走査線３２と、その走査線３２に対してｙ方向の正側に隣合う奇数行（第(2k+1)行）の１本の走査線３２とで構成される。すなわち、第１組と第２組とは走査線３２の１本分だけｙ方向にずれた関係にある。第１駆動および第２駆動の各々について以下に詳述する。
【００２５】
＜第１駆動＞
第１駆動では、駆動回路４０は、単位期間Ｕ内の第１書込期間Ｗ1にて第１組を順次に選択するとともに選択状態の第１組のうち奇数行（第（2k-1）行）の走査線３２に対応する各画素ＰIXの指定階調に応じた階調電位Ｘ[n]を各信号線３４に供給し、かつ、単位期間Ｕ内の第２書込期間Ｗ2にて偶数行（第2k行）の走査線３２を順次に選択するとともに選択状態の走査線３２に対応する各画素ＰIXの指定階調に応じた階調電位Ｘ[n]を各信号線３４に供給する駆動方式である。第１駆動の実行時における走査線駆動回路４２および信号線駆動回路４４の動作を以下に詳述する。
【００２６】
図４に示すように、走査線駆動回路４２は、第１書込期間Ｗ1内の選択期間Ｈ毎に各第１組を順次に選択する。すなわち、走査線駆動回路４２は、第１書込期間Ｗ1内の第ｋ番目の選択期間Ｈにて走査信号Ｙ[2k-1]および走査信号Ｙ[2k]を選択電位に設定することで、第１組を構成する第(2k-1)行および第2k行の２本の走査線３２を同時に選択する。例えば、第１書込期間Ｗ1内の第１番目の選択期間Ｈでは第１行および第２行の２本の走査線３２が同時に選択され、第２番目の選択期間Ｈでは第３行および第４行の２本の走査線３２が同時に選択される。
【００２７】
表示期間Ｐi（ＰR，ＰL）の各単位期間Ｕの第１書込期間Ｗ1のうち第１組を構成する第(2k-1)行および第2k行の２本の走査線３２が選択される選択期間Ｈでは、信号線駆動回路４４は、画像Ｇiのうち第(2k-1)行の各画素ＰIXの指定階調Ｇi[2k-1]に応じた階調電位Ｘ[n]を各信号線３４に供給する。例えば、右眼用表示期間ＰR内の第１書込期間Ｗ1のうち第１番目の選択期間Ｈでは、右眼用画像ＧRのうち第１行の各画素ＰIXの指定階調ＧR[1]に応じた階調電位Ｘ[n]が各信号線３４に供給され、第２番目の選択期間Ｈでは、右眼用画像ＧRのうち第３行の各画素ＰIXの指定階調ＧR[3]に応じた階調電位Ｘ[n]が各信号線３４に供給される。すなわち、第１書込期間Ｗ1の第ｋ番目の選択期間Ｈでは、図４に示すように、画像Ｇiのうち第(2k-1)行の指定階調Ｇi[2k-1]に応じた階調電位Ｘ[n]が第(2k-1)行および第2k行の各画素ＰIXに共通に供給される。したがって、第１書込期間Ｗ1が終了する時点では、ｙ方向の解像度を半分に低下させた画像Ｇiが画素部３０に表示される。
【００２８】
他方、第２書込期間Ｗ2では、走査線駆動回路４２は、図４に示すように、選択期間Ｈ毎に偶数行の各走査線３２を順次に選択する。すなわち、Ｍ本の走査線３２が１本おきに選択される。具体的には、走査線駆動回路４２は、図４に示すように、第２書込期間Ｗ2内の第ｋ番目の選択期間Ｈにて走査信号Ｙ[2k]を選択電位に設定することで第2k行の１本の走査線３２を選択する。すなわち、例えば第２書込期間Ｗ2内の第１番目の選択期間Ｈでは第２行の走査線３２が選択され、第２番目の選択期間Ｈでは第４行の走査線３２が選択される。奇数行の走査線３２は第２書込期間Ｗ2では選択されない。
【００２９】
第２書込期間Ｗ2のうち第2k行の１本の走査線３２が選択される選択期間Ｈでは、信号線駆動回路４４は、画像Ｇiのうち第2k行の各画素ＰIXの指定階調Ｇi[2k]に応じた階調電位Ｘ[n]を各信号線３４に供給する。例えば、右眼用表示期間ＰR内の第２書込期間Ｗ2のうち第１番目の選択期間Ｈでは、右眼用画像ＧRのうち第２行の各画素ＰIXの指定階調ＧR[2]に応じた階調電位Ｘ[n]が各信号線３４に供給され、第２番目の選択期間Ｈでは、右眼用画像ＧRのうち第４行の各画素ＰIXの指定階調ＧR[4]に応じた階調電位Ｘ[n]が各信号線３４に供給される。すなわち、第２書込期間Ｗ2の第ｋ番目の選択期間Ｈでは、図４に示すように、画像Ｇiのうち第2k行の指定階調Ｇi[2k]に応じた階調電位Ｘ[n]が第2k行の各画素ＰIXに供給される。他方、奇数行の各画素ＰIXにおける液晶素子ＣLの印加電圧は直前の第１書込期間Ｗ1での設定電圧に保持される。したがって、第１書込期間Ｗ1の終点ではｙ方向に半分の解像度で表示されていた画像Ｇiが、第２書込期間Ｗ2の終点では所期の解像度（縦Ｍ行×横Ｎ列）の画像Ｇiに更新される。
【００３０】
＜第２駆動＞
第２駆動は、単位期間Ｕ内の第１書込期間Ｗ1にて第２組を順次に選択するとともに選択状態の第２組のうち偶数行（第2k行）の走査線３２に対応する各画素ＰIXの指定階調に応じた階調電位Ｘ[n]を各信号線３４に供給し、かつ、単位期間Ｕ内の第２書込期間Ｗ2にて奇数行（第(2k+1)行）の走査線３２を順次に選択するとともに選択状態の走査線３２に対応する各画素ＰIXの指定階調に応じた階調電位Ｘ[n]を各信号線３４に供給する駆動方式である。第２駆動の実行時における走査線駆動回路４２および信号線駆動回路４４の動作を以下に詳述する。
【００３１】
図５に示すように、走査線駆動回路４２は、第１書込期間Ｗ1内の選択期間Ｈ毎に各第２組を順次に選択する。すなわち、走査線駆動回路４２は、第１書込期間Ｗ1内の第ｋ番目の選択期間Ｈにて走査信号Ｙ[2k]および走査信号Ｙ[2k+1]を選択電位に設定することで、第２組を構成する第2k行および第(2k+1)行の２本の走査線３２を同時に選択する。例えば、第１書込期間Ｗ1内の第１番目の選択期間Ｈでは第２行および第３行の走査線３２が同時に選択され、第２番目の選択期間Ｈでは第４行および第５行の走査線３２が同時に選択される。
【００３２】
表示期間Ｐi（ＰR，ＰL）の各単位期間Ｕの第１書込期間Ｗ1のうち第２組を構成する第2k行および第(2k+1)行の２本の走査線３２が選択される選択期間Ｈでは、信号線駆動回路４４は、画像Ｇiのうち第2k行の各画素ＰIXの指定階調Ｇi[2k]に応じた階調電位Ｘ[n]を各信号線３４に供給する。したがって、第１書込期間Ｗ1の第ｋ番目の選択期間Ｈでは、図５に示すように、画像Ｇiのうち第2k行の指定階調Ｇi[2k]に応じた階調電位Ｘ[n]が第2k行および第(2k+1)行の各画素ＰIXに共通に供給される。例えば、右眼用表示期間ＰR内の第１書込期間Ｗ1のうち第１番目の選択期間Ｈでは、右眼用画像ＧRのうち第２行の各画素ＰIXの指定階調ＧR[2]に応じた階調電位Ｘ[n]が第２行および第３行の各画素ＰIXに供給され、第２番目の選択期間Ｈでは、右眼用画像ＧRのうち第４行の各画素ＰIXの指定階調ＧR[4]に応じた階調電位Ｘ[n]が第４行および第５行の各画素ＰIXに供給される。したがって、第１書込期間Ｗ1が終了する時点では、ｙ方向の解像度を半分に低下させた画像Ｇiが画素部３０に表示される。
【００３３】
他方、第２書込期間Ｗ2では、走査線駆動回路４２は、選択期間Ｈ毎に奇数行の各走査線３２を順次に選択する。具体的には、走査線駆動回路４２は、図５に示すように、第２書込期間Ｗ2内の第ｋ番目の選択期間Ｈにて走査信号Ｙ[2k-1]を選択電位に設定することで第(2k-1)行の１本の走査線３２を選択する。すなわち、例えば第２書込期間Ｗ2内の第１番目の選択期間Ｈでは第１行の走査線３２が選択され、第２番目の選択期間Ｈでは第３行の走査線３２が選択される。偶数行の走査線３２は第２書込期間Ｗ2では選択されない。
【００３４】
第２書込期間Ｗ2のうち第(2k-1)行の１本の走査線３２が選択される選択期間Ｈでは、信号線駆動回路４４は、画像Ｇiのうち第(2k-1)行の各画素ＰIXの指定階調Ｇi[2k-1]に応じた階調電位Ｘ[n]を各信号線３４に供給する。したがって、第２書込期間Ｗ2の第ｋ番目の選択期間Ｈでは、図５に示すように、画像Ｇiのうち第(2k-1)行の指定階調Ｇi[2k-1]に応じた階調電位Ｘ[n]が第(2k-1)行の各画素ＰIXに供給される。例えば、右眼用表示期間ＰR内の第２書込期間Ｗ2のうち第１番目の選択期間Ｈでは、右眼用画像ＧRのうち第１行の各画素ＰIXの指定階調ＧR[1]に応じた階調電位Ｘ[n]が第１行の各画素ＰIXに供給され、第２番目の選択期間Ｈでは、右眼用画像ＧRのうち第３行の各画素ＰIXの指定階調ＧR[3]に応じた階調電位Ｘ[n]が第３行の各画素ＰIXに供給される。したがって、第１書込期間Ｗ1の終点ではｙ方向に半分の解像度で表示されていた画像Ｇiが、第２書込期間Ｗ2の終点では所期の解像度（縦Ｍ行×横Ｎ列）の画像Ｇiに更新される。
【００３５】
以上が第１駆動および第２駆動の説明である。図３に示すように、駆動回路４０は、第１駆動／第２駆動と単位期間Ｕ1／単位期間Ｕ2との組合せを右眼用表示期間ＰRと左眼用表示期間ＰLとで逆転させる。すなわち、駆動回路４０は、右眼用表示期間ＰR内の単位期間Ｕ1にて第１駆動を実行するとともに単位期間Ｕ2にて第２駆動を実行し、左眼用表示期間ＰL内の単位期間Ｕ1にて第２駆動を実行するとともに単位期間Ｕ2にて第１駆動を実行する。第１実施形態では階調電位Ｘ[n]の極性が単位期間Ｕ毎に反転するから、階調電位Ｘ[n]の極性（液晶素子ＣLに対する印加電圧の極性）と第１駆動／第２駆動との関係が右眼用表示期間ＰRと左眼用表示期間ＰLとで逆転すると換言することも可能である。すなわち、右眼用表示期間ＰRでは、階調電位Ｘ[n]が正極性である場合（単位期間Ｕ1）に第１駆動が実行されるとともに階調電位Ｘ[n]が負極性である場合（単位期間Ｕ2）に第２駆動が実行され、左眼用表示期間ＰLでは、階調電位Ｘ[n]が正極性である場合（単位期間Ｕ1）に第２駆動が実行されるとともに階調電位Ｘ[n]が負極性である場合（単位期間Ｕ2）に第１駆動が実行される。
【００３６】
以上の説明から理解されるように、右眼用表示期間ＰRの単位期間Ｕ1の第１書込期間Ｗ1では、直前の左眼用表示期間ＰL（単位期間Ｕ2の第２書込期間Ｗ2）で表示された左眼用画像ＧLが第１組毎（２行毎）に順次に右眼用画像ＧRに更新され、左眼用表示期間ＰLの単位期間Ｕ1の第１書込期間Ｗ1では、直前の右眼用表示期間ＰR（単位期間Ｕ2の第２書込期間Ｗ2）で表示された右眼用画像ＧRが第２組毎に順次に左眼用画像ＧLに更新される。すなわち、各表示期間Ｐiのうち単位期間Ｕ1の第１書込期間Ｗ1では右眼用画像ＧRと左眼用画像ＧLとが混在する。
【００３７】
図１の制御回路１４の眼鏡制御回路１４４は、立体視用眼鏡２０の右眼用シャッター２２および左眼用シャッター２４の各々の状態（開状態／閉状態）を電気光学パネル１２の動作に同期して制御する。具体的には、眼鏡制御回路１４４は、図３に示すように、各表示期間Ｐiのうち単位期間Ｕ1内の第１書込期間Ｗ1にて右眼用シャッター２２および左眼用シャッター２４の双方を閉状態に制御する。また、眼鏡制御回路１４４は、右眼用表示期間ＰRのうち単位期間Ｕ1内の第２書込期間Ｗ2と単位期間Ｕ2（第１書込期間Ｗ1および第２書込期間Ｗ2）とにおいて右眼用シャッター２２を開状態に制御するとともに左眼用シャッター２４を閉状態に制御し、左眼用表示期間ＰLのうち単位期間Ｕ1内の第２書込期間Ｗ2と単位期間Ｕ2（第１書込期間Ｗ1および第２書込期間Ｗ2）とにおいて左眼用シャッター２４を開状態に制御するとともに右眼用シャッター２２を閉状態に制御する。
【００３８】
したがって、右眼用表示期間ＰRのうち単位期間Ｕ1の第２書込期間Ｗ2と単位期間Ｕ2とで画素部３０に表示される右眼用画像ＧRは右眼用シャッター２２を透過して観察者の右眼に到達するとともに左眼用シャッター２４で遮断される。他方、左眼用表示期間ＰLのうち単位期間Ｕ1の第２書込期間Ｗ2と単位期間Ｕ2とで画素部３０に表示される左眼用画像ＧLは左眼用シャッター２４を透過して観察者の左眼に到達するとともに右眼用シャッター２２で遮断される。右眼用シャッター２２を透過した右眼用画像ＧRを右眼で視認するとともに左眼用シャッター２４を透過した左眼用画像ＧLを左眼で視認することで、観察者は表示画像に立体感を知覚する。
【００３９】
前述の通り各表示期間Ｐiのうち単位期間Ｕ1の第１書込期間Ｗ1では右眼用画像ＧRと左眼用画像ＧLとが混在するが、図３を参照して説明した通り、各表示期間Ｐiの単位期間Ｕ1の第１書込期間Ｗ1では右眼用シャッター２２および左眼用シャッター２４の双方が閉状態に維持されるから、右眼用画像ＧRと左眼用画像ＧLとの混在（クロストーク）は観察者に知覚されない。すなわち、右眼用画像ＧRと左眼用画像ＧLとが確実に右眼および左眼に分離されるから、観察者に明確な立体感を知覚させることが可能である。
【００４０】
以上に説明した第１実施形態では、各表示期間Ｐiの単位期間Ｕ1の第１書込期間Ｗ1にて走査線３２を２本単位で選択して各画素ＰIXに階調電位Ｘ[n]を供給する。したがって、各表示期間Ｐにて走査線３２を１行単位で選択期間Ｈ毎に順次に選択して各画素ＰIXに階調電位Ｘ[n]を供給する構成と比較すると、右眼用画像ＧRと左眼用画像ＧLとが混在する期間（すなわち右眼用シャッター２２および左眼用シャッター２４の双方を閉状態に維持すべき期間）の時間長が短縮される。すなわち、表示期間Ｐiのうち右眼用シャッター２２または左眼用シャッター２４を開状態に維持できる時間長が充分に確保される。したがって、観察者が認識する表示画像の明度を向上することが可能である。
【００４１】
各表示期間Ｐiの単位期間Ｕ1における第１書込期間Ｗ1では、画像信号が示す本来の表示画像のｙ方向の解像度を半減させた画像が表示される。第１実施形態では、第１書込期間Ｗ1での階調電位Ｘ[n]の供給対象が単位期間Ｕ1と単位期間Ｕ2とで相違する。すなわち、単位期間Ｕ1では第１組を単位として階調電位Ｘ[n]が供給されるのに対し、単位期間Ｕ2では、第１組とは１行分だけずれた第２組を単位として階調電位Ｘ[n]が供給される。したがって、例えば単位期間Ｕ1および単位期間Ｕ2の双方において第１組毎に階調電位Ｘ[n]を供給する構成と比較して、各単位期間Ｕにおける表示画像の解像度の低下が観察者に知覚され難いという利点もある。
【００４２】
ところで、指定階調が共通する場合でも、階調電位Ｘ[n]が正極性に設定された場合と負極性に設定された場合とでは、液晶素子ＣLに対する印加電圧（各画素ＰIXの表示階調）が相違する場合がある。階調電位Ｘ[n]の極性を反転させる周期が長い場合（例えば表示期間Ｐi毎に極性を反転させる場合）、階調電位Ｘ[n]の極性差に起因した表示階調の変動（すなわちフリッカ）が観察者に知覚され易いという問題がある。第１実施形態では、単位期間Ｕという短い周期で階調電位Ｘ[n]の極性が反転するから、階調電位Ｘ[n]の極性差に起因した表示階調の変動が知覚され難いという利点がある。
【００４３】
図６に示すように、奇数行の各画素ＰIXに最低階調（黒色）を表示させるとともに偶数行の各画素ＰIXに最高階調（白色）を表示させる場合に各画素ＰIXの液晶素子ＣLに印加される電圧を検討する。最低階調を表示させる各画素ＰIXの液晶素子ＣLには電圧が印加されず（±０Ｖ）、最高階調を表示させる各画素ＰIXの液晶素子ＣLには±５Ｖの電圧が印加されるノーマリーブラックモードを例示的に想定する。
【００４４】
図７は、偶数行（第2k行）および奇数行（第(2k+1)行）の各画素ＰIXの液晶素子ＣLに対して以上の前提のもとで印加される電圧の時間変化の説明図である。単位期間Ｕ1の第１書込期間Ｗ1では、奇数行の指定階調（最低階調）に応じた正極性の階調電位Ｘ[n]が第１組の各画素ＰIXに供給されるから、第2k行および第(2k+1)行とも液晶素子ＣLの印加電圧は０Ｖに設定される。単位期間Ｕ1の第２書込期間Ｗ2では、偶数行の指定階調（最高階調）に応じた正極性の階調電位Ｘ[n]が偶数行の各画素ＰIXに供給されるから、第2k行の液晶素子ＣLには＋５Ｖの電圧が印加され、非選択の第(2k+1)行の液晶素子ＣLの印加電圧は直前の電圧（０Ｖ）に維持される。
【００４５】
単位期間Ｕ2の第１書込期間Ｗ1では、偶数行の指定階調（最高階調）に応じた負極性の階調電位Ｘ[n]が第２組の各画素ＰIXに供給されるから、第2k行および第(2k+1)行とも液晶素子ＣLの印加電圧は−５Ｖに設定される。また、単位期間Ｕ2の第２書込期間Ｗ2では、奇数行の指定階調（最低階調）に応じた負極性の階調電位Ｘ[n]が奇数行の各画素ＰIXに供給されるから、第(2k+1)行の液晶素子ＣLの印加電圧は０Ｖに設定され、非選択の第2k行の液晶素子ＣLの印加電圧は直前の電圧（−５Ｖ）に維持される。
【００４６】
以上に説明したように、第2k行の液晶素子ＣLの印加電圧は、表示期間Ｐi内で０Ｖ→＋５Ｖ→−５Ｖ→−５Ｖと変化し、第(2k+1)行の液晶素子ＣLの印加電圧は、表示期間Ｐi内で０Ｖ→０Ｖ→−５Ｖ→０Ｖと変化する。すなわち、奇数行および偶数行の何れにおいても液晶素子ＣLに負極性の電圧が印加される時間が長いという傾向がある。したがって、右眼用表示期間ＰRおよび左眼用表示期間ＰLの双方において単位期間Ｕ1で第１駆動を実行するとともに単位期間Ｕ2で第２駆動を実行する構成（以下「対比例」という）では、液晶素子ＣLの印加電圧が片方の極性に偏向し、直流成分の印加に起因した液晶素子ＣLの特性劣化が発生する可能性がある。
【００４７】
第１実施形態では、単位期間Ｕ1／単位期間Ｕ2と第１駆動／第２駆動との関係が右眼用表示期間ＰRと左眼用表示期間ＰLとで反転されるから、右眼用画像ＧRと左眼用画像ＧLとで表示内容が近似することを前提とすれば、図７で説明した極性の偏向は右眼用表示期間ＰRと左眼用表示期間ＰLとで相殺される。したがって、直流成分の印加に起因した液晶素子ＣLの特性劣化が有効に抑制されるという格別の効果が実現される。
【００４８】
＜第２実施形態＞
本発明の第２実施形態を以下に説明する。なお、以下に例示する各形態において作用や機能が第１実施形態と同等である要素については、以上の説明で参照した符号を流用して各々の詳細な説明を適宜に省略する。
【００４９】
図８は、第２実施形態の動作の説明図である。図８に示すように、相前後する右眼用表示期間ＰRと左眼用表示期間ＰLとで構成される複数の制御期間Ｔは、制御期間Ｔ1と制御期間Ｔ2とに区別される。制御期間Ｔ1と制御期間Ｔ2とは時間軸上で交互に配列する。
【００５０】
図８から理解されるように、単位期間Ｕ1／単位期間Ｕ2と第１駆動／第２駆動との関係が制御期間Ｔ内の右眼用表示期間ＰRと左眼用表示期間ＰLとで逆転する構成は第１実施形態と同様である。第２実施形態の駆動回路４０は、単位期間Ｕ1／単位期間Ｕ2と第１駆動／第２駆動との関係が、制御期間Ｔ1内の右眼用表示期間ＰRと制御期間Ｔ2内の右眼用表示期間ＰRとで逆転するとともに制御期間Ｔ1内の左眼用表示期間ＰLと制御期間Ｔ2内の左眼用表示期間ＰLとで逆転するように各単位期間Ｕ1で第１駆動または第２駆動を実行する。
【００５１】
すなわち、制御期間Ｔ1では、駆動回路４０は、右眼用表示期間ＰR内の単位期間Ｕ1にて第１駆動を実行するとともに単位期間Ｕ2にて第２駆動を実行し、かつ、左眼用表示期間ＰL内の単位期間Ｕ1にて第２駆動を実行するとともに単位期間Ｕ2にて第１駆動を実行する。他方、制御期間Ｔ2では、駆動回路４０は、右眼用表示期間ＰR内の単位期間Ｕ1にて第２駆動を実行するととも単位期間Ｕ2にて第１駆動を実行し、かつ、左眼用表示期間
ＰL内の単位期間Ｕ1にて第１駆動を実行するとともに単位期間Ｕ2にて第２駆動を実行する。
【００５２】
信号線駆動回路４４は、階調電位Ｘ[n]の極性を第１実施形態と同様に単位期間Ｕ毎に反転させる。すなわち、階調電位Ｘ[n]の極性は、制御期間Ｔ1および制御期間Ｔ2の何れにおいても、各表示期間Ｐi（ＰR，ＰL）の単位期間Ｕ1にて正極性に設定されるとともに単位期間Ｕ2にて負極性に設定される。したがって、第２実施形態では、階調電位Ｘ[n]の極性（液晶素子ＣLに対する印加電圧の極性）と第１駆動／第２駆動との関係が、制御期間Ｔ1内の右眼用表示期間ＰRと制御期間Ｔ2内の右眼用表示期間ＰRとで逆転するとともに制御期間Ｔ1内の左眼用表示期間ＰLと制御期間Ｔ2内の左眼用表示期間ＰLとで逆転すると換言することも可能である。
【００５３】
第２実施形態においても第１実施形態と同様の効果が実現される。また、第２実施形態では、表示期間Ｐiにおける単位期間Ｕ1／単位期間Ｕ2と第１駆動／第２駆動との関係が制御期間Ｔ1と制御期間Ｔ2とで逆転するから、図７で説明した極性の偏向が制御期間Ｔ1と制御期間Ｔ2とで相殺される。したがって、直流成分の印加に起因した液晶素子ＣLの特性劣化が有効に抑制されるという効果は格別に顕著となる。
【００５４】
＜変形例＞
以上の各形態は多様に変形され得る。具体的な変形の態様を以下に例示する。以下の例示から任意に選択された２以上の態様は、相互に矛盾しない範囲内で適宜に併合され得る。
【００５５】
（１）前述の各形態では、第１駆動の実行時に、奇数行（第(2k-1)行）の指定階調Ｇi[2k-1]に応じた階調電位Ｘ[n]を第１書込期間Ｗ1にて第１組の各画素ＰIXに供給するとともに偶数行（第2k行）の指定階調Ｇi[2k]に応じた階調電位Ｘ[n]を第２書込期間Ｗ2にて偶数行の各画素ＰIXに供給し、第２駆動の実行時に、偶数行（第2k行）の指定階調Ｇi[2k]に応じた階調電位Ｘ[n]を第１書込期間Ｗ1にて第２組の各画素ＰIXに供給するとともに奇数行（第(2k-1)行）の指定階調Ｇi[2k-1]に応じた階調電位Ｘ[n]を第２書込期間Ｗ2にて奇数行の各画素ＰIXに供給したが、第２書込期間Ｗ2にて階調電位Ｘ[n]が供給される各画素ＰIX（奇数行／偶数行）や、第１書込期間Ｗ1および第２書込期間Ｗ2の各々で階調電位Ｘ[n]に反映される指定階調Ｇ（奇数行／偶数行）は以上の例示に限定されない。例えば、第１駆動の実行時に、偶数行（第2k行）の指定階調Ｇi[2k]に応じた階調電位Ｘ[n]を第１書込期間Ｗ1にて第１組の各画素ＰIXに供給するとともに奇数行（第(2k-1)行）の指定階調に応じた階調電位Ｘ[n]を第２書込期間Ｗ2にて奇数行の各画素ＰIXに供給し、第２駆動の実行時に、奇数行（第(2k-1)行）の指定階調Ｇi[2k-1]に応じた階調電位Ｘ[n]を第１書込期間Ｗ1にて第２組の各画素ＰIXに供給するとともに偶数行（第2k行）の指定階調Ｇi[2k]に応じた階調電位Ｘ[n]を第２書込期間Ｗ2にて偶数行の各画素ＰIXに供給することも可能である。すなわち、Ｍ本の走査線３２を、交互に配列する第１走査線３２と第２走査線３２とに区分した場合、第１駆動は、第１走査線３２に対応する各画素ＰIXの指定階調に応じた階調電位Ｘ[n]を第１書込期間Ｗ1にて第１組の各画素ＰIXに供給するとともに第２走査線３２に対応する各画素ＰIXの指定階調に応じた階調電位Ｘ[n]を第２書込期間Ｗ2にて各画素ＰIXに供給する動作として包括され、第２駆動は、第２走査線３２に対応する各画素ＰIXの指定階調に応じた階調電位Ｘ[n]を第１書込期間Ｗ1にて第２組の各画素ＰIXに供給するとともに第１走査線３２に対応する各画素ＰIXの指定階調に応じた階調電位Ｘ[n]を第２書込期間Ｗ2にて各画素ＰIXに供給する動作として包括され、第１走査線３２および第２走査線３２の奇偶（奇数行／偶数行）は任意である。
【００５６】
また、前述の各形態では、第(2k-1)行および第2k行を第１組として第2k行および第(2k+1)行を第２組としたが、Ｍ本の走査線３２の区分の方法は適宜に変更される。例えば第2k行および第(2k+1)行を第１組として第(2k-1)行および第2k行を第２組とした構成も採用される。したがって、単位期間Ｕ1の第１書込期間Ｗ1にて偶数行（第2k行）の指定階調Ｇi[2k]に応じた階調電位Ｘ[n]を第１組の各画素ＰIXに供給するとともに第２書込期間Ｗ2にて奇数行（第(2k+1)行）の指定階調Ｇi[2k+1]に応じた階調電位Ｘ[n]を奇数行の各画素ＰIXに供給し、単位期間Ｕ2の第１書込期間Ｗ1にて奇数行（第(2k-1)行）の指定階調Ｇi[2k-1]に応じた階調電位Ｘ[n]を第２組の各画素ＰIXに供給するとともに第２書込期間Ｗ2にて偶数行（第2k行）の指定階調Ｇi[2k]に応じた階調電位Ｘ[n]を偶数行の各画素ＰIXに供給することも可能である。
【００５７】
（２）前述の各形態では、第２駆動の実行時の第１書込期間Ｗ1にて第１行の各画素ＰIXに階調電位Ｘ[n]を供給しない場合を便宜的に例示したが、第１行の各画素ＰIXに当該行の指定階調Ｇi[1]に応じた階調電位Ｘ[n]や所定の階調（例えば黒階調や中間調）に応じた階調電位Ｘ[n]を供給することも可能である。
【００５８】
（３）前述の各形態では、右眼用表示期間ＰRのうち単位期間Ｕ1の第１書込期間Ｗ1の終点にて右眼用シャッター２２を閉状態から開状態に変化させたが、右眼用シャッター２２を閉状態から開状態に変化させる時期は適宜に変更される。例えば、右眼用表示期間ＰRの単位期間Ｕ1の第１書込期間Ｗ1の終点以前に右眼用シャッター２２を開状態に変化させる構成では、第１書込期間Ｗ1内での右眼用画像ＧRと左眼用画像ＧLとの混在が観察者に若干は知覚されるが、表示画像の明度を向上させることが可能である。他方、右眼用表示期間ＰRの単位期間Ｕ1の第１書込期間Ｗ1の終点以降の時点で右眼用シャッター２２を開状態に変化させる構成では、表示画像の明度は低下するが、右眼用画像ＧRと左眼用画像ＧLとの混在が観察者に知覚されることを確実に防止することが可能である。同様に、右眼用シャッター２２を開状態から閉状態に変化させる時期を、右眼用表示期間ＰRの単位期間Ｕ2の第２書込期間Ｗ2の終点以前に設定した構成（表示画像の明度は低下するが右眼用画像ＧRと左眼用画像ＧLとの混在は防止される）や、右眼用表示期間ＰRの単位期間Ｕ2の第２書込期間Ｗ2の終点以降に設定した構成（左眼用表示期間ＰLの単位期間Ｕ1内で右眼用画像ＧRと左眼用画像ＧLとの若干の混在は知覚されるが表示画像の明度は向上する）も採用され得る。また、右眼用画像ＧRと左眼用画像ＧLとの混在が観察者に知覚され難い開閉の時期は、右眼用シャッター２２および左眼用シャッター２４の応答特性と電気光学パネル１２（液晶素子ＣL）の応答特性との関係にも依存する。したがって、右眼用シャッター２２を閉状態から開状態に変化させる時期や開状態から閉状態に変化させる時期は、右眼用画像ＧRと左眼用画像ＧLとの混在を観察者に知覚されることの防止と表示画像の明度の確保との優先度（バランス）や、立体視用眼鏡２０の応答特性と電気光学パネル１２の応答特性との関係といった種々の要因を考慮して選定される。なお、以上の説明では右眼用シャッター２２に言及したが、左眼用シャッター２４の開閉の時期についても同様の事情が妥当する。
【００５９】
以上の説明から理解されるように、右眼用シャッター２２が開状態に制御される期間は、右眼用表示期間ＰRにおける単位期間Ｕ1の第２書込期間Ｗ2と単位期間Ｕ2との少なくとも一部を含む期間（単位期間Ｕ1の第１書込期間Ｗ1の一部を含むか否かは不問）として包括される。同様に、左眼用シャッター２４が開状態に制御される期間は、左眼用表示期間ＰLにおける単位期間Ｕ1の第２書込期間Ｗ2と単位期間Ｕ2との少なくとも一部を含む期間として包括される。また、右眼用シャッター２２および左眼用シャッター２４の双方が閉状態に制御される期間は、各表示期間Ｐi（ＰR，ＰL）のうち単位期間Ｕ1の第１書込期間Ｗ1の少なくとも一部の期間として包括される。
【００６０】
（４）第１組および第２組を構成する走査線３２の本数は２本に限定されない。すなわち、第１組および第２組は、相異なる組合せでＭ本の走査線３２を相互に隣合うＱ本（Ｑは２以上の自然数）ずつ区分した集合として包括される。第１組および第２組をＱ本の走査線３２の集合として一般化した場合、単位期間Ｕ1および単位期間Ｕ2の各々はＱ個の書込期間Ｗ1〜ＷQで構成される。第１駆動は、単位期間Ｕ内の最初の書込期間Ｗ1において各第１組を選択期間Ｈ毎に順次に選択するとともに選択状態の第１組内の第１番目の走査線３２に対応する各画素ＰIXの指定階調に応じた階調電位Ｘ[n]を各信号線３４に供給し、かつ、単位期間Ｕ内の書込期間Ｗ2〜ＷQの各々において、第１組のＱ本の走査線３２のうち第ｑ番目の走査線３２に対応する各画素ＰIXの指定階調に応じた階調電位Ｘ[n]を各信号線３４に供給する動作として包括される。同様に、第２駆動は、単位期間Ｕ内の最初の書込期間Ｗ1において各第２組を選択期間Ｈ毎に順次に選択するとともに選択状態の第２組内の第１番目の走査線３２に対応する各画素ＰIXの指定階調に応じた階調電位Ｘ[n]を各信号線３４に供給し、かつ、単位期間Ｕ内の書込期間Ｗ2〜ＷQの各々において、第２組のＱ本の走査線３２のうち第ｑ番目の走査線３２に対応する各画素ＰIXの指定階調に応じた階調電位Ｘ[n]を各信号線３４に供給する動作として包括される。
【００６１】
（５）第１実施形態では、単位期間Ｕ1／単位期間Ｕ2（階調電位Ｘの正極性／負極性）と第１駆動／第２駆動との関係を右眼用表示期間ＰRと左眼用表示期間ＰLとで逆転させた構成（以下「構成Ａ」という）を例示し、第２実施形態では、単位期間Ｕ1／単位期間Ｕ2と第１駆動／第２駆動との関係を制御期間Ｔ1と制御期間Ｔ2とで逆転させた構成（以下「構成Ｂ」を第１実施形態に追加した構成を例示したが、構成Ａは構成Ｂに必須の要件ではなく、構成Ｂの単独でも実現され得る。すなわち、単位期間Ｕ1／単位期間Ｕ2と第１駆動／第２駆動との関係を、制御期間Ｔ内の右眼用表示期間ＰRと左眼用表示期間ＰLとで共通させるとともに制御期間Ｔ1と制御期間Ｔ2とで反転させた構成も採用され得る。例えば、制御期間Ｔ1内の右眼用表示期間ＰRおよび左眼用表示期間ＰLでは、単位期間Ｕ1にて第１駆動を実行するとともに単位期間Ｕ2にて第２駆動を実行し、制御期間Ｔ2内の右眼用表示期間ＰRおよび左眼用表示期間ＰLでは、単位期間Ｕ1にて第２駆動を実行するとともに単位期間Ｕ2にて第１駆動を実行する。
【００６２】
（６）電気光学素子は液晶素子ＣLに限定されない。例えば、電気泳動素子を電気光学素子として利用することも可能である。すなわち、電位光学素子は、電気的な作用（例えば電圧の印加）に応じて光学的な特性（例えば透過率）が変化する表示素子として包括される。
【００６３】
＜応用例＞
以上の各形態に例示した電気光学装置１０は、各種の電子機器に利用され得る。図９から図１１には、電気光学装置１０を採用した電子機器の具体的な形態が例示されている。
【００６４】
図９は、電気光学装置１０を適用した投射型表示装置（３板式のプロジェクター）４０００の模式図である。投射型表示装置４０００は、相異なる表示色（赤色，緑色，青色）に対応する３個の電気光学装置１０（１０R，１０G，１０B）を含んで構成される。照明光学系４００１は、照明装置（光源）４００２からの出射光のうち赤色成分ｒを電気光学装置１０Rに供給し、緑色成分ｇを電気光学装置１０Gに供給し、青色成分ｂを電気光学装置１０Bに供給する。各電気光学装置１０は、照明光学系４００１から供給される各単色光を表示画像に応じて変調する光変調器（ライトバルブ）として機能する。投射光学系４００３は、各電気光学装置１０からの出射光を合成して投射面４００４に投射する。観察者は、投射面４００４に投射された立体視画像を立体視用眼鏡２０（図９では図示略）で視認する。
【００６５】
図１０は、電気光学装置１０を採用した可搬型のパーソナルコンピューターの斜視図である。パーソナルコンピューター２０００は、各種の画像を表示する電気光学装置１０と、電源スイッチ２００１やキーボード２００２が設置された本体部２０１０とを具備する。
【００６６】
図１１は、電気光学装置１０を適用した携帯電話機の斜視図である。携帯電話機３０００は、複数の操作ボタン３００１およびスクロールボタン３００２と、各種の画像を表示する電気光学装置１０とを備える。スクロールボタン３００２を操作することによって、電気光学装置１０に表示される画面がスクロールされる。
【００６７】
なお、本発明に係る電気光学装置が適用される電子機器としては、図９から図１１に例示した機器のほか、携帯情報端末（ＰＤＡ：Personal Digital Assistants），デジタルスチルカメラ，テレビ，ビデオカメラ，カーナビゲーション装置，車載用の表示器（インパネ），電子手帳，電子ペーパー，電卓，ワードプロセッサ，ワークステーション，テレビ電話，ＰＯＳ端末，プリンター，スキャナー，複写機，ビデオプレーヤー，タッチパネルを備えた機器等などが挙げられる。
【符号の説明】
【００６８】
１００……立体視表示装置、１０……電気光学装置、１２……電気光学パネル、１４……制御回路、１４２……表示制御回路、１４４……眼鏡制御回路、２０……立体視用眼鏡、２２……右眼用シャッター、２４……左眼用シャッター、３０……画素部、ＰIX……画素、ＣL……液晶素子、ＳW……選択スイッチ、３２……走査線、３４……信号線、４０……駆動回路、４２……走査線駆動回路、４４……信号線駆動回路。
【図１】
0005780054.tif 000002
【図２】
0005780054.tif 000003
【図３】
0005780054.tif 000004
【図４】
0005780054.tif 000005
【図５】
0005780054.tif 000006
【図６】
0005780054.tif 000007
【図７】
0005780054.tif 000008
【図８】
0005780054.tif 000009
【図９】
0005780054.tif 000010
【図１０】
0005780054.tif 000011
【図１１】
0005780054.tif 000012
【図１２】
0005780054.tif 000013